(57)【要約】【課題】  電子文書や電子バインダの機密性を適切に保持するようにすることを目的とする。【解決手段】  電子文書群２０１からＰＤＦを作成し、作成したＰＤＦに印刷制御情報を付加し、その印刷制御情報が付加されたＰＤＦを含む自己解凍形式の電子バインダ３０１を作成してエクスポートすることにより、電子文書群２０１を外部にエクスポートするときにも、本システムにおいてのみ印刷（印刷制御）することができる電子バインダを形成して、顧客の大切な資料のセキュリティを適切に保持することができるようにする。【選択図】  図３
2005242793.tif 000002
【特許請求の範囲】
【請求項１】
各種アプリケーション上で作成される複数の電子文書ファイルを保持して、印刷する印刷システムであって、
前記複数の電子文書ファイルと、前記電子文書ファイルの印刷の制限に関わる印刷制御情報とを含む電子バインダを作成するする電子バインダ作成手段と、
前記印刷制御情報に従って前記電子文書ファイルを取り出して印刷する印刷手段とを備えたことを特徴とする印刷システム。
【請求項２】
前記電子バインダ作成手段は、前記印刷制御情報を含めることが可能な中間言語フォーマットを、前記電子文書ファイルから作成し、作成した中間言語フォーマットに前記印刷制御情報を含め、その印刷制御情報を含む中間言語フォーマットを有する自己解凍形式の電子バインダを作成することを特徴とする請求項１に記載の印刷システム。
【請求項３】
前記印刷制御情報は、印刷回数制限情報、印刷枚数制限情報、及び印刷有効期限情報を含み、
前記印刷手段は、前記印刷制御情報に基づく制限の範囲内では、前記印刷制御情報に従って前記電子文書ファイルを取り出して印刷するが、前記制限の範囲外のときは、前記電子文書ファイルに電子透かしを付加して印刷することを特徴とする請求項１又は２に記載の印刷システム。
【請求項４】
前記印刷制御情報は、印刷回数制限情報、印刷枚数制限情報、及び印刷有効期限情報を含み、
前記印刷手段は、前記印刷制御情報に基づく制限の範囲内では、前記印刷制御情報に従って前記電子文書ファイルを取り出して印刷するが、前記制限の範囲外のときは、前記電子文書ファイルに電子スタンプを付加して印刷することを特徴とする請求項１又は２に記載の印刷システム。
【請求項５】
前記中間言語フォーマットは、ＰＤＦ（Portable Document Format）であることを特徴とする請求項２に記載の印刷システム。
【請求項６】
複数の電子文書ファイルを保持する電子バインダを作成する電子バインダ作成手段と、
前記電子文書ファイルから中間言語フォーマットを作成する中間言語作成手段と、
前記中間言語作成手段により作成された中間言語フォーマットに、前記電子文書ファイルの印刷の制限に関わる印刷制御情報を付加し、その印刷制御情報を付加した中間言語フォーマットを、前記電子バインダ作成手段により作成された電子バインダに含め、その電子バインダを自己解凍形式でエクスポートするエクスポート手段とを有することを特徴とする文書管理装置。
【請求項７】
前記エクスポート手段によりエクスポートされた電子バインダ内の印刷制御情報に従って前記電子文書ファイルを取り出して印刷する印刷手段を有することを特徴とする請求項６に記載の文書管理装置。
【請求項８】
前記印刷制御情報は、印刷回数制限情報、印刷枚数制限情報、及び印刷有効期限情報の少なくとも何れか１つを含み、
前記印刷手段は、前記印刷制御情報に基づく制限の範囲内では、前記印刷制御情報に従って前記電子文書ファイルを取り出して印刷するが、前記制限の範囲外のときは、前記電子文書ファイルに電子透かしを付加して印刷することを特徴とする請求項７に記載の文書管理装置。
【請求項９】
前記印刷制御情報は、印刷回数制限情報、印刷枚数制限情報、及び印刷有効期限情報の少なくとも何れか１つを含み、
前記印刷手段は、前記印刷制御情報に基づく制限の範囲内では、前記印刷制御情報に従って前記電子文書ファイルを取り出して印刷するが、前記制限の範囲外のときは、前記電子文書ファイルに電子スタンプを付加して印刷することを特徴とする請求項７に記載の文書管理装置。
【請求項１０】
複数の電子文書ファイルを保持する電子バインダを作成する電子バインダ作成ステップと、
前記電子文書ファイルから中間言語フォーマットを作成する中間言語作成ステップと、
前記中間言語作成ステップにより作成された中間言語フォーマットに、前記電子文書ファイルの印刷の制限に関わる印刷制御情報を付加し、その印刷制御情報を付加した中間言語フォーマットを、前記電子バインダ作成ステップにより作成された電子バインダに含め、その電子バインダを自己解凍形式でエクスポートするエクスポートステップとを有することを特徴とする文書管理方法。
【請求項１１】
前記エクスポートステップによりエクスポートされた電子バインダ内の印刷制御情報に従って前記電子文書ファイルを取り出して印刷する印刷ステップを有することを特徴とする請求項１０に記載の文書管理方法。
【請求項１２】
前記印刷制御情報は、印刷回数制限情報、印刷枚数制限情報、及び印刷有効期限情報の少なくとも何れか１つを含み、
前記印刷ステップは、前記印刷制御情報に基づく制限の範囲内では、前記印刷制御情報に従って前記電子文書ファイルを取り出して印刷するが、前記制限の範囲外のときは、前記電子文書ファイルに電子透かしを付加して印刷することを特徴とする請求項１１に記載の文書管理方法。
【請求項１３】
前記印刷制御情報は、印刷回数制限情報、印刷枚数制限情報、及び印刷有効期限情報の少なくとも何れか１つを含み、
前記印刷ステップは、前記印刷制御情報に基づく制限の範囲内では、前記印刷制御情報に従って前記電子文書ファイルを取り出して印刷するが、前記制限の範囲外のときは、前記電子文書ファイルに電子スタンプを付加して印刷することを特徴とする請求項１１に記載の文書管理方法。
【請求項１４】
複数の電子文書ファイルを保持する電子バインダを作成する電子バインダ作成ステップと、
前記電子文書ファイルから中間言語フォーマットを作成する中間言語作成ステップと、
前記中間言語作成ステップにより作成された中間言語フォーマットに印刷制御情報を付加し、その印刷制御情報を付加した中間言語フォーマットを、前記電子バインダ作成ステップにより作成された電子バインダに含め、その電子バインダを自己解凍形式でエクスポートするエクスポートステップとをコンピュータに実行させることを特徴とするコンピュータプログラム。
【請求項１５】
上記請求項１４に記載のコンピュータプログラムを記録したことを特徴とするコンピュータ読み取り可能な記録媒体。
【発明の詳細な説明】
【技術分野】
【０００１】
本発明は、印刷システム、文書管理装置、及び文書管理方法に関し、特に、電子文書を管理するために用いて好適なものである。
【背景技術】
【０００２】
企業ではドキュメント管理システムを導入し、文書の再利用を推進しようとしている。初期の製品は、紙の文書をスキャナで画像として取り込み、取り込んだ画像を登録して保存するようなものであった。しかしながら、最近は、パソコンで作られた電子文書が多くなり、そのような電子文書も登録して保存することができるようになってきた。また、最近では、登録されている複数の電子文書から任意のページを抜き出して圧縮アーカイブし、バインダのように綴じて一つの電子文書のようにすることもできるようになっている。それを、ここでは電子バインダと呼ぶ。また、この電子バインダを自己解凍方式のアーカイブとしてエクスポートすることができるドキュメントマネージメントソフトウェアもある。
【０００３】
また、印刷システムでは、印刷枚数制限などの印刷制御情報をサーバなどに保持し、印刷時にサーバにアクセスして印刷制御情報を確認し、その印刷制御情報に基づいて、プリンタで電子文書を印刷するのか、それともしないのかを制御している印刷システムがある。（例えば、特許文献１）。
【０００４】
【特許文献１】特開２００３−２８０８７９号公報
【発明の開示】
【発明が解決しようとする課題】
【０００５】
しかしながら、これら従来のドキュメントマネージメントおよび印刷システムでは、次のような問題点があった。
従来のドキュメントマネージメントおよび印刷システムでは、印刷の制限（印刷制御）が不可能であった。また、印刷の制限（印刷制御）が不可能ではなくても、前述したように、印刷回数を制限するためにサーバに問い合わせて印刷許可情報の取得を行っていたため、従来のドキュメントマネージメントおよび印刷システムでは、サーバが必須であった。したがって、スタンドアロン（stand-alone）の印刷機、もしくはPOD（Print ON Demand）センターへ印刷発注する方式の印刷システムでは、顧客先のサーバにアクセスすることができず、印刷を制限することができないという問題があった。
【０００６】
この点において、社内の機密書類の印刷を容易に外部のPODセンターへ発注することができないという問題が生じ、電子文書や電子バインダの印刷を適切に制限することが困難であり、電子文書や電子バインダの機密性を適切に保持することが困難であるという問題点があった。
【０００７】
本発明は、前述の問題点に鑑みてなされたものであり、電子文書や電子バインダの機密性を適切に保持するようにすることを目的とする。
【課題を解決するための手段】
【０００８】
本発明の印刷システムは、各種アプリケーション上で作成される複数の電子文書ファイルを保持して、印刷する印刷システムであって、前記複数の電子文書ファイルと、前記電子文書ファイルの印刷の制限に関わる印刷制御情報とを含む電子バインダを作成するする電子バインダ作成手段と、前記印刷制御情報に従って前記電子文書ファイルを取り出して印刷する印刷手段とを備えたことを特徴とする。
本発明の文書管理装置は、複数の電子文書ファイルを保持する電子バインダを作成する電子バインダ作成手段と、前記電子文書ファイルから中間言語フォーマットを作成する中間言語作成手段と、前記中間言語作成手段により作成された中間言語フォーマットに、前記電子文書ファイルの印刷の制限に関わる印刷制御情報を付加し、その印刷制御情報を付加した中間言語フォーマットを、前記電子バインダ作成手段により作成された電子バインダに含め、その電子バインダを自己解凍形式でエクスポートするエクスポート手段とを有することを特徴とする。
【０００９】
本発明の文書管理方法は、複数の電子文書ファイルを保持する電子バインダを作成する電子バインダ作成ステップと、前記電子文書ファイルから中間言語フォーマットを作成する中間言語作成ステップと、前記中間言語作成ステップにより作成された中間言語フォーマットに、前記電子文書ファイルの印刷の制限に関わる印刷制御情報を付加し、その印刷制御情報を付加した中間言語フォーマットを、前記電子バインダ作成ステップにより作成された電子バインダに含め、その電子バインダを自己解凍形式でエクスポートするエクスポートステップとを有することを特徴とする。
【００１０】
本発明のコンピュータプログラムは、複数の電子文書ファイルを保持する電子バインダを作成する電子バインダ作成ステップと、前記電子文書ファイルから中間言語フォーマットを作成する中間言語作成ステップと、前記中間言語作成ステップにより作成された中間言語フォーマットに、前記電子文書ファイルの印刷の制限に関わる印刷制御情報を付加し、その印刷制御情報を付加した中間言語フォーマットを、前記電子バインダ作成ステップにより作成された電子バインダに含め、その電子バインダを自己解凍形式でエクスポートするエクスポートステップとをコンピュータに実行させることを特徴とする。
本発明のコンピュータ読み取り可能な記録媒体は、上記記載のコンピュータプログラムを記録したことを特徴とする。
【発明の効果】
【００１１】
本発明によれば、複数の電子文書ファイルと、印刷制御情報とを含む電子バインダを作成し、その電子バインダに含まれている印刷制御情報に従って前記電子文書ファイルを取り出して印刷するようにしたので、電子バインダ内の印刷制御情報を用いることによって印刷を制限することができ、顧客の大切な資料の機密性を適切に保持することができる。
【発明を実施するための最良の形態】
【００１２】
（第１の実施形態）
以下、図面を参照して本発明の第１の実施形態を詳細に説明する。
図１は、ドキュメントマネージメント及び印刷システムを構築する際に用いられる情報処理装置（文書管理装置）の構成の一例を示すブロック図である。
図１において、ＣＰＵ１は、メインバス１３を介してドキュメントマネージメント及び印刷システム全体の制御を実行する。WINDOWS（Ｒ）で動作するアプリケーションにおいて、ユーザが、ドラッグ＆ドロップするなどすると、入出力装置１２において電子文書をシステムに取り込み、取り込んだ電子文書の一元管理を行う。その際に、ドキュメント（電子文書ファイル）は、ＲＯＭ５に保存されているプログラムに従ってＲＡＭ６上に展開されディスプレイ３にて表示される。電子文書は、ユーザがキーボード２などを操作することによって命名入力されたフォルダーなどに格納される。なお、電子文書が格納されたフォルダーは、ハードディスク４などに格納されることとなる。
【００１３】
電子バインダを作成する際には、キーボード２や、マウスなどを用いて行われたユーザの操作に基づいて、システム上に格納されている複数の電子ファイルを電子バインダ作成部７においてまとめる。その際に、中間言語生成部８においてＰＤＦ（Portable Document Format）などの中間言語フォーマットを作成する。そして、印刷制御情報生成部９において印刷制御情報を前記ＰＤＦに埋め込む。
電子バインダを外部にエクスポートする際には、自己解凍形式作成部１０において、後述する自己解凍形式の電子バインダ（自己解凍形式アーカイブ）を作成してエクスポートする。
印刷は、印刷制御部１１において、印刷制御情報生成部９により作成された印刷制御情報に従って制御を行い、プリンタなどの入出力装置１２で印刷する。
【００１４】
図２は、本実施形態の電子バインダと、その内部に綴じられた電子文書の一例を概念的に示した図である。
電子文書群２０１をアーカイブして（１つにまとめて）、電子バインダ２０２が作成される。電子文書群２０１は、様々なアプリケーションファイルである。一般にファイル圧縮を行う際に用いられる圧縮方式には様々なものがあるが、本実施形態で用いられる圧縮は、不特定の可逆圧縮アルゴリズムを用いて行われるものとする。
【００１５】
図２において、ファイルヘッダ２０３は、電子バインダ自体の情報、作成日時などの情報、及び電子バインダ２０２に含まれる各圧縮電子文書のアドレスなどを持つ。本実施形態では、この各圧縮電子文書のアドレスを参照することにより、圧縮電子文書にアクセスすることができるようにしている。
【００１６】
電子バインダ２０２に綴じられた圧縮電子文書を、アプリケーションで処理できる状態にするために、電子バインダ２０２内の圧縮電子文書に対して、圧縮時に用いられた圧縮形式に対応した伸長アルゴリズムを用いて伸長処理を行い、電子文書２０５を作成する。
【００１７】
図３は、電子バインダ２０２を外部にエクスポートする際の自己解凍形式の電子バインダを解凍したときの状態の一例を概念的に示した図である。
電子文書群２０１をアーカイブして電子バインダ２０２を作成するところまでは、図２を用いて説明したのと同様である。電子バインダ２０２を外部にエクスポートする際には、自己解凍形式アーカイブ３０１としてエクスポートされる。自己解凍形式アーカイブ３０１内のファイルヘッダ３０２には、自己解凍に必要な情報が格納されており、このファイルヘッダ３０２の他には、印刷制御情報付きのＰＤＦ２０４のみが、（オリジナルの圧縮電子文書の代わりに）自己解凍形式アーカイブ３０１内に保持される。この印刷制御情報付きのＰＤＦ２０４は、印刷制御のために用いられるものである。
自己解凍形式アーカイブ３０１が実行されたときは、印刷制御情報付きのＰＤＦ３０３のみが解凍されて取り出される。
【００１８】
図４は、電子文書群２０１を電子バインダ２０２として圧縮アーカイブしてから、印刷するまでの一連の処理の一例を示したフローチャートである。
また、図５は、その一連の処理の一例を概念的に示した図である。
【００１９】
まず、電子バインダを作成する。
ステップＳ４１において、電子バインダ作成部７（中間言語生成部８）は、電子文書群２０１から各電子文書を結合したＰＤＦを作成する。
図５に示すように、ドキュメントマネージメント及び印刷システムを構築する情報処理装置のディスプレイ３に、メインウインドウ５０１を表示する。メインウインドウ５０１上には、電子文書のサムネール５０２が表示されている。
【００２０】
電子バインダに文書を追加する際には、ユーザは、マウスなどを用いて、電子文書のサムネール５０２を、電子バインダ５０３の上にドラッグ＆ドロップ（Drag＆Drop）する。
電子バインダを新規に作成する際には、ユーザは、電子文書のサムネール５０２上にマウスを持っていって、メニューを指定する。このようなユーザの操作に従って、電子バインダ作成部７は、新規の電子バインダを作成する。
【００２１】
ユーザが、電子バインダ５０３をダブルクリックすると、プレビュー確認用のウインドウ５０６が表示される。ユーザは、このプレビュー確認用のウインドウ５０６によって内容の確認をすることができる。
【００２２】
ステップＳ４２において、電子バインダ作成部７（印刷制御情報生成部９）は、印刷制御情報をＰＤＦに付加する。
図６に、印刷制御情報の一例を示す。
「印刷許可」情報と、「低解像度印刷許可」情報とに関しては、ＰＤＦにて一般的なものである。
「印刷枚数制限」情報と、「印刷有効期限」情報とに関しては、ユーザ特殊情報であり、本システムにおいてのみ使用可能である。
【００２３】
外部における印刷制御を行うため、「印刷許可」に関しては常に「ＮＯ」とする。そうすることによって一般的なＰＤＦビューア（viewer）による印刷を防ぐ。本システムにおいては、「印刷許可」情報を無視し、「印刷枚数制限」情報と、「印刷有効期限」情報とを用いて印刷制御を行う。
一般的なＰＤＦビューアによる内容確認のためのプレビューを許可するか否かと、低解像度印刷を許可するか否かについては、ユーザが決めて指定する。
【００２４】
実際のシステム上の動きとしては、ステップＳ４１で説明した電子文書の電子バインダへのドラッグ＆ドロップを行うと、図６に示すような印刷制御情報の入力ダイアログ６０１が表示され、指定した情報がＰＤＦに格納される。
【００２５】
ステップＳ４３において、電子バインダ作成部７（自己解凍形式作成部１０）は、自部署以外の本システムで印刷するときの為に、自己解凍形式で電子バインダをエクスポートする。
実際のシステム上での動きを説明すると、電子バインダ５０３をドラッグしてメインウインドウ５０１の外にドロップすると、印刷制御情報入りのＰＤＦを含む自己解凍形式の電子バインダ５０４を作成する。
この電子バインダ５０４は、図３に示した電子バインダ３０１と同一である。
この実行形式のバインダ５０４を実行すると、自己解凍して印刷制御情報付きのＰＤＦ５０５が取り出される。
【００２６】
最後に、ステップＳ４４において、印刷制御部１１は、印刷制御情報に基づいて、プリンタなどの入出力装置１２を制御し、この制御にしたがって、プリンタなどの入出力装置１２は、印刷を行う。
【００２７】
以上のように本実施形態では、電子文書群２０１からＰＤＦを作成し、作成したＰＤＦに印刷制御情報を付加し、その印刷制御情報が付加されたＰＤＦを含む自己解凍形式の電子バインダ３０１を作成してエクスポートするようにしたので、電子文書群２０１を外部にエクスポートするときにも、本システム（情報処理装置）においてのみ印刷（印刷制御）することができる電子バインダを実現することができる。これにより、スタンドアロンのシステムなどのいかなるシステム形態においても印刷を制限することができ、顧客の大切な資料のセキュリティを適切に保持することができる。特に、自己解凍形式の文書アーカイブをエクスポートする場合や、印刷制御情報を取得するためのサーバにアクセスできない場合でも、顧客による印刷制御を可能にし、顧客の大切な資料のセキュリティを適切に保持することができる。
【００２８】
（第２の実施形態）
次に、本発明の第２の実施形態について説明する。なお、本実施形態と、上述した第１の実施形態とは、印刷時の動作のみが異なり、他の部分については同じである。したがって、本実施形態の説明において、上述した第１の実施形態と同一の部分については、図１〜図６に付した符号と同一の符号を付すなどして、詳細な説明を省略する。
【００２９】
上述した第１の実施形態では、印刷制御情報により、印刷に制限がかかっている場合には、印刷ができないようにした。これに対し、本実施形態では、図７に示すように、上述した図４のステップＳ４４における印刷制御情報に従った印刷において、制限にかかっている場合は、印刷ができないというのではなく、印刷物７０１の全面に「印刷禁止」という電子透かしを入れるようにしている。なお、電子透かしを印刷物７０１に入れるようにするには、例えば、図９（ａ）に示すように、電子バインダ作成部９１内の電子透かし作成部９２で電子透かしを作成し、作成した電子透かしを、自己解凍形式作成部１０において、エクスポートする自己解凍形式の電子バインダに挿入するようにすればよい。
以上のように、電子透かしを入れることにより、電子文書や電子バインダの機密性をより適切に保持することができる。
【００３０】
（第３の実施形態）
次に、本発明の第３の実施形態について説明する。なお、本実施形態と、上述した第１の実施形態とは、印刷時の動作のみが異なり、他の部分については同じである。したがって、本実施形態の説明において、上述した第１の実施形態と同一の部分については、図１〜図６に付した符号と同一の符号を付すなどして、詳細な説明を省略する。
【００３１】
上述した第１の実施形態では、印刷制御情報により、印刷に制限がかかっている場合には、印刷ができないようにした。これに対し、本実施形態では、図８に示すように、ステップＳ４４における印刷制御情報に従った印刷において、制限にかかっている場合は、印刷ができないというのではなく、例えば「印刷禁止」という電子スタンプを印刷物８０１に入れている。なお、スタンプを印刷物８０１に入れるようにするには、例えば、図９（ｂ）に示すように、電子バインダ作成部９３内のスタンプ作成部９４で電子スタンプを作成し、作成した電子スタンプを、自己解凍形式作成部１０にて、エクスポートする自己解凍形式の電子バインダに挿入するようにすればよい。
以上のように、地紋などの電子スタンプを印刷物に入れることにより、電子文書や電子バインダの機密性をより適切に保持することができる。
【００３２】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３３】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３４】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００３６】
【図１】本発明の第１の実施の形態を示し、ドキュメントマネージメントおよび印刷システムを構築するための情報処理装置の構成の一例を示すブロック図である。
【図２】本発明の第１の実施の形態を示し、電子バインダと、その内部に綴じられた電子文書の一例を概念的に示した図である。
【図３】本発明の第１の実施の形態を示し、自己解凍形式の電子バインダを解凍したときの状態の一例を概念的に示した図である。
【図４】本発明の第１の実施の形態を示し、電子文書群を電子バインダとして圧縮アーカイブしてから、印刷するまでの一連の処理の一例を示したフローチャートである。
【図５】本発明の第１の実施の形態を示し、電子文書群を電子バインダとして圧縮アーカイブしてから、印刷するまでの一連の処理の一例を概念的に示した図である。
【図６】本発明の第１の実施の形態を示し、電子バインダ内の印刷制御情報の一例を示した図である。
【図７】本発明の第２の実施形態を示し、全面に渡って「印刷禁止」の電子透かしが入れられている印刷物の一例を示した図である。
【図８】本発明の第３の実施形態を示し、「印刷禁止」のスタンプが入れられている印刷物の一例を示した図である。
【図９】本発明の第２及び第３の実施形態を示し、電子バインダ作成部の構成の一例を示した図である。
【符号の説明】
【００３７】
７  電子バインダ作成部
８  中間言語生成部
９  印刷制御情報生成部
１０  自己解凍形式作成部
１１  印刷制御部
２０１  電子文書群
２０２  電子バインダ
２０３、３０２  ファイルヘッダ
２０４、３０３  印刷制御情報付きＰＤＦ
２０５  電子バインダ
３０１  自己解凍形式アーカイブ
６０１  印刷制御情報の入力ダイアログ
７０１  電子透かし入りの印刷物
８０１  スタンプ入りの印刷物
【図１】
2005242793.tif 000003
【図２】
2005242793.tif 000004
【図３】
2005242793.tif 000005
【図４】
2005242793.tif 000006
【図５】
2005242793.tif 000007
【図６】
2005242793.tif 000008
【図７】
2005242793.tif 000009
【図８】
2005242793.tif 000010
【図９】
2005242793.tif 000011